(57)【要約】      （修正有）【課題】携帯式マイナスイオン電動歯ブラシを提供する。【解決手段】携帯式マイナスイオン電動歯ブラシは、チャンバーが形成され、前記チャンバーを画定する側壁を貫通する貫通穴が開設された本体と、前記チャンバー内に設けられた回路基板と、前記本体の外周に外挿され、前記貫通穴を覆うハンドル４と、を備え、前記貫通穴には前記貫通穴を覆って密封するシール構造５が設けられ、前記シール構造が、導電性接着剤と、前記本体の外周面から前記チャンバーに向かって凹む溝とを備え、前記導電性接着剤が前記溝及び前記貫通穴に収容され、前記ハンドルの内周面が前記導電性接着剤に押し付けられ、前記ハンドル及び前記導電性接着剤が何れも導電性を有することで、前記ハンドルと前記回路基板とが電気的に接続される。【選択図】図２
0003224381.tif 000002
【実用新案登録請求の範囲】
【請求項１】
チャンバーが形成され、前記チャンバーを画定する側壁を貫通する貫通穴が開設された本体と、
前記チャンバー内に設けられた回路基板と、
前記本体の外周に外挿され、前記貫通穴を覆うハンドルと、を備え、
前記貫通穴には前記貫通穴を覆って密封するシール構造が設けられ、前記シール構造が、導電性接着剤と、前記本体の外周面から前記チャンバーに向かって凹む溝とを備え、前記導電性接着剤が前記溝及び前記貫通穴に収容され、前記ハンドルの内周面が前記導電性接着剤に押し付けられ、前記ハンドル及び前記導電性接着剤が何れも導電性を有することで、前記ハンドルと前記回路基板とが電気的に接続されることを特徴とする携帯式マイナスイオン電動歯ブラシ。
【請求項２】
前記回路基板と前記導電性接着剤とを接続する板ばねをさらに備えることを特徴とする請求項１に記載の携帯式マイナスイオン電動歯ブラシ。
【請求項３】
前記導電性接着剤が挿入部とシール部とを備え、前記挿入部が前記貫通穴に挿入されて前記板ばねに当接し、前記シール部が前記溝に収容されて前記ハンドルの内周面に押し付けられることを特徴とする請求項２に記載の携帯式マイナスイオン電動歯ブラシ。
【請求項４】
前記溝の底面には前記貫通穴を囲む凸部が設けられ、前記凸部が閉じた形状に形成され、前記導電性接着剤が前記凸部に押し付けられて前記貫通穴を密封することを特徴とする請求項１〜３の何れか一項に記載の携帯式マイナスイオン電動歯ブラシ。
【請求項５】
前記凸部の横断面が三角形であることを特徴とする請求項４に記載の携帯式マイナスイオン電動歯ブラシ。
【請求項６】
前記本体には、前記回路基板に給電するための電池を前記チャンバーに装入するための取付口が形成され、
前記取付口に着脱可能に取り付けられて前記チャンバーを密閉し、前記本体との間にシールリングが設けられた底蓋をさらに備えることを特徴とする請求項１〜３の何れか一項に記載の携帯式マイナスイオン電動歯ブラシ。
【請求項７】
前記チャンバー内まで延びる金属棒をさらに備え、
前記金属棒が前記マイナスイオン電動歯ブラシの長手方向に沿って突出するように前記本体に設けられたことを特徴とする請求項１〜３の何れか一項に記載の携帯式マイナスイオン電動歯ブラシ。
【請求項８】
前記本体と前記金属棒とがインサート射出成形により一体に形成され、前記本体には、前記回路基板上のスイッチを押圧可能なボタンが設けられ、前記ボタンと前記本体とが２次射出成形により一体に形成されることを特徴とする請求項７に記載の携帯式マイナスイオン電動歯ブラシ。
【請求項９】
前記金属棒と前記回路基板とがスプリングを介して導通し、前記スプリングが圧縮されて前記金属棒に当接することを特徴とする請求項７に記載の携帯式マイナスイオン電動歯ブラシ。
【請求項１０】
前記本体のチャンバー内に、前記マイナスイオン電動歯ブラシを振動可能にする振動ユニットが設けられたことを特徴とする請求項１〜３の何れか一項に記載の携帯式マイナスイオン電動歯ブラシ。
【考案の詳細な説明】
【技術分野】
【０００１】
本考案は、電動歯ブラシ分野に関し、特に携帯式マイナスイオン電動歯ブラシに関する。
【背景技術】
【０００２】
先行技術において、マイナスイオン歯ブラシと人体とを直列に接続し通電によりマイナスイオンを放出することによって、歯を洗浄する効果を図る。マイナスイオン歯ブラシの場合、密封防水性を確保する必要があるだけでなく、歯ブラシの表面をその内部の回路に導通可能にする必要もある。先行技術において、超音波溶接により密封防水を実現できたが、防水効果が好ましくなく、水漏れが起こりやすい。
【考案の概要】
【考案が解決しようとする課題】
【０００３】
本考案は、防水効果が良好な携帯式マイナスイオン電動歯ブラシを提供することを目的とする。
【課題を解決するための手段】
【０００４】
本考案は、携帯式マイナスイオン電動歯ブラシを提供し、マイナスイオン電動歯ブラシは、
チャンバーが形成され、前記チャンバーを画定する側壁を貫通する貫通穴が開設された本体と、
前記チャンバー内に設けられた回路基板と、
前記本体の外周に外挿され、前記貫通穴を覆うハンドルと、を備え、
前記貫通穴には前記貫通穴を覆って密封するシール構造が設けられ、前記シール構造が、導電性接着剤と、前記本体の外周面から前記チャンバーに向かって凹む溝とを備え、前記導電性接着剤が前記溝及び前記貫通穴に収容され、前記ハンドルの内周面が前記導電性接着剤に押し付けられ、前記ハンドル及び前記導電性接着剤が何れも導電性を有することで、前記ハンドルと前記回路基板とが電気的に接続される。
【０００５】
好ましくは、前記携帯式マイナスイオン電動歯ブラシは、前記回路基板と前記導電性接着剤とを接続する板ばねをさらに備える。
【０００６】
好ましくは、前記導電性接着剤が挿入部とシール部とを備え、前記挿入部が前記貫通穴に挿入されて前記板ばねに当接し、前記シール部が前記溝に収容されて前記ハンドルの内周面に押し付けられる。
【０００７】
好ましくは、前記溝の底面には前記貫通穴を囲む凸部が設けられ、前記凸部が閉じた形状に形成され、前記導電性接着剤が前記凸部に押し付けられて前記貫通穴を密封する。
【０００８】
好ましくは、前記凸部的の横断面が三角形である。
【０００９】
好ましくは、前記本体には、前記回路基板に給電するための電池を前記チャンバーに装入するための取付口が形成され、
前記マイナスイオン電動歯ブラシは、前記取付口に着脱可能に取り付けられて前記チャンバーを密閉し、前記本体との間にシールリングが設けられた底蓋をさらに備える。
【００１０】
好ましくは、前記マイナスイオン電動歯ブラシは、前記チャンバー内まで延びる金属棒
をさらに備え、前記金属棒が前記マイナスイオン電動歯ブラシの長手方向に沿って突出するように前記本体に設けられる。
【００１１】
好ましくは、前記本体と前記金属棒とがインサート射出成形により一体に形成され、前記本体には、前記回路基板上のスイッチを押圧可能なボタンが設けられ、前記ボタンと前記本体とが２次射出成形により一体に形成される。
【００１２】
好ましくは、前記金属棒と前記回路基板とがスプリングを介して導通し、前記スプリングが圧縮されて前記金属棒に当接する。
【００１３】
好ましくは、前記本体のチャンバー内に、前記マイナスイオン電動歯ブラシを振動可能にする振動ユニットが設けられる。
【考案の効果】
【００１４】
このように、本考案は、ハンドルが導電性接着剤に押し付けられることによって回路基板とハンドルとの導通を実現するとともに、携帯式マイナスイオン電動歯ブラシに良好な防水密封効果を与える。
【図面の簡単な説明】
【００１５】
【図１】図１は、本考案の実施の形態に係る携帯式マイナスイオン電動歯ブラシを示す構造模式図である。
【図２】図２は、図１の断面図である。
【図３】図３は、図２のＰ部分の拡大図である。
【図４】図４は、本考案の実施の形態に係る携帯式マイナスイオン電動歯ブラシを示す構造分解図である。
【図５】図５は、本考案の実施の形態に係る携帯式マイナスイオン電動歯ブラシの底蓋を示す構造模式図である。
【図６】図６は、図５の断面図である。
【図７】図７は、本考案の実施の形態に係る携帯式マイナスイオン電動歯ブラシの本体ユニットを示す構造模式図である。
【図８】図８は、本考案の実施の形態に係る携帯式マイナスイオン電動歯ブラシの本体ユニットとシール構造とが組み立てられた様子を示す構造模式図である。
【図９】図９は、本考案の実施の形態に係る携帯式マイナスイオン電動歯ブラシの回路接続ユニットを示す構造模式図である。
【考案を実施するための形態】
【００１６】
以下、本考案の例示的な実施の形態について、図面を参照しながら説明する。以下の詳細な説明は、当業者に本考案をどのように実施するかを示すためのものに過ぎず、本考案のあり得る実施の形態をすべて網羅する意図ではなく、本考案の範囲を限定する意図でもない。
【００１７】
特に断りがない限り、下記の説明において、長手方向Ａとは、携帯式マイナスイオン電動歯ブラシの長手方向を指し、前側Ｕとは、長手方向における前側（ブラシヘッド側）を指し、後側Ｄとは、長手方向における後側（ハンドル側）を指す。
【００１８】
図１〜図９に示すように、本考案は、本体ユニット１と、底蓋２と、回路接続ユニット３と、ハンドル４と、シール構造５とを備える携帯式マイナスイオン電動歯ブラシを提供する。
【００１９】
図１、図２、図４、図７及び図８に示すように、本体ユニット１は、本体１１と、金属
棒１２と、ブラシヘッド１３とを備え、本体１１はチャンバーが形成された略円筒状であり、本体１１の長手方向の一端（後側端）には取付口が設けられ、金属棒１２は本体１１に挿通されてチャンバー内まで延び、本体１１の長手方向の他端（前側端）に突出して設けられる。金属棒１２と本体１１とは、射出成形により一体に接続成形することができる。この場合、両者の間には隙間がなく、水漏れが生じない。ブラシヘッド１３は金属棒１２に着脱可能に外挿され、一定期間使用した後に、ブラシヘッド１３を取り外して新しいブラシヘッド１３に交換可能である。ブラシヘッド１３には水導入孔１４及び水導出孔１５が設けられ、水導入孔１４及び水導出孔１５は金属棒１２に連通することで、口腔内の液体（例えば、唾液）は水導入孔１４を通して金属棒１２を濡らして、口腔と金属棒１２との電気的な接続を可能にする。
【００２０】
本体１１には押圧可能なボタン１６が設けられ、ボタン１６と本体１１とが２次射出成形により一体に接続成形されたため、両者の間には隙間がなく、水漏れが生じない。本体１１には、本体１１のチャンバーを画定する側壁を貫通する貫通穴１７が開設される（図７参照）。
【００２１】
図１、図２、図４〜図６に示すように、底蓋２は有底の略円筒形状であり、本体１１の取付口に着脱可能に接続される。取付口から電池６を本体１１内部のチャンバーに装入することができる。底蓋２には、正極シート２１が設けられ、正極シート２１は電池６の正極と回路接続ユニット３（正極スプリング３４）とを導通することができる。正極シート２１には第１の接点部２２が設けられ、第１の接点部２２は底蓋２の径方向における正極シート２１の外側部分に位置し、第１の接点部２２は長手方向Ａに沿って正極シート２１の本体部分から突出し、第１の接点部２２は回路接続ユニット３（正極スプリング３４）に接触する時に、長手方向Ａに沿って弾性変形可能である。
【００２２】
底蓋２と本体１１との間にはシールリング２３、例えばＯリングが設けられる。具体的には、本体１１には、シールリング２３を嵌入するための環状溝を形成してもよい。シールリング２３は、底蓋２と本体１１との間の隙間に液体が浸入するのを防止することができ、密封防水の効果を実現することができる。
【００２３】
図２、図４及び図９に示すように、回路接続ユニット３は本体１１の内部のチャンバーに設けられる。回路接続ユニット３は、ホルダ３１と、回路基板３２と、板ばね３３と、正極スプリング３４と、負極スプリング３５とを備える。回路接続ユニット３は電池６と回路基板３２とを接続するためのものであり、これにより、電池６は回路基板３２に給電する。
【００２４】
回路基板３２及び負極スプリング３５はホルダ３１に接続され、負極スプリング３５は電池６と回路基板３２とを接続し、これにより電池６の負極と回路基板３２とを導通させ、電池６により回路基板３２に給電する。電池６を本体１１に装入する時に、負極スプリング３５が長手方向Ａに沿って圧縮されるように電池６を負極スプリング３５に長手方向に沿って押し付けることができる。回路基板３２には、ボタン１６により押圧可能なスイッチが設けられる。
【００２５】
正極スプリング３４はホルダ３１に接続され、正極スプリング３４は、金属が様々な形状に折り曲げられて形成可能であり、正極スプリング３４の一端が回路基板３２に導通し、他端が正極シート２１に導通することで、電池６の正極と回路基板３２とが導通し、電池６が回路基板３２に給電する。底蓋２と本体１１とが一体に取り付けられる時に、正極スプリング３４の他端が第１の接点部２２に接触可能であり、これにより、電池６の正極と回路基板３２とが導通する。
【００２６】
板ばね３３が導電材料、例えば金属から形成される。板ばね３３はホルダ３１に接続され、板ばね３３には、本体１１の径方向外側に突出する第２の接点部３３１が設けられ、この第２の接点部３３１が貫通穴１７に位置合わせられ、板ばね３３の第２の接点部３３１がシール構造５を介してハンドル４に導通する。板ばね３３と回路基板３２とは導線３８を介して電気的に接続可能である。第２の接点部３３１は弾性を有し、シール構造５の位置で第２の接点部３３１を押圧する時、第２の接点部３３１は本体１１の径方向に沿って移動可能である。
【００２７】
ホルダ３１には振動ユニット３６がさらに接続され、振動ユニット３６はホルダ３１の長手方向Ａの前側Ｕに位置し、振動ユニット３６を振動させることによってマイナスイオン電動歯ブラシ全体を振動させることができる。これにより、歯に対するより良い洗浄効果が得られる。振動ユニット３６は振動モータであってもよい。
【００２８】
回路基板３２にはヘッド部スプリング３７がさらに接続され、ヘッド部スプリング３７の一端は回路基板３２に接続され、他端は金属棒１２に当接し、これにより、回路基板３２と金属棒１２とを導通させて電気的に接続する。ヘッド部スプリング３７は、金属棒１２との当接が維持されるように、長手方向Ａに沿って圧縮可能である。
【００２９】
ここで、第１の接点部２２、正極スプリング３４、負極スプリング３５及びヘッド部スプリング３７が何れも弾性を有し、弾性を有するスプリングまたは他の部材により２つの部材を電気的に接続することによって、電気的接続の安定性を維持することができ、振動などに起因する電気的接続の接触不良を回避することができる。
【００３０】
図１〜図４に示すように、ハンドル４は略円筒状に形成可能であり、本体１１に外挿され、貫通穴１７が位置する部位を覆う。ハンドル４は導電材料、例えば金属材料から形成されることで、ハンドル４と回路基板３２とは板ばね３３及びシール構造５を介して導通して電気的に接続される。
【００３１】
図２〜図４及び図７〜図８に示すように、シール構造５は、導電性接着剤と、本体１１の外周面から本体１１のチャンバーに向かって凹む溝５３とを備え、溝５３は貫通穴１７を囲み、貫通穴１７は溝５３の底面に位置する。溝５３の底面には貫通穴１７を囲む凸部５４が形成され、凸部５４が閉じた形状に形成される。さらに、凸部５４の横断面が三角形であってもよく、凸部５４の一つの稜線が導電性接着剤と対向することで、導電性接着剤が押圧される時の変形量は大きくなる。
【００３２】
導電性接着剤は貫通穴１７に挿入される挿入部５１と溝５３に嵌入されるシール部５２とを備え、挿入部５１は板ばね３３と当接し、シール部５２は溝５３の側縁部から突出する。導電性接着剤は導電可能で弾性を有する。溝５３の底部に接触する導電性接着剤の表面が平面であり、ハンドル４が取り付けられた場合、ハンドル４の内周面と凸部５４との両方が導電性接着剤を押圧することで、導電性接着剤が変形して密封し、防水効果を実現する。
【００３３】
次は、マイナスイオン電動歯ブラシの作動原理について説明する。
【００３４】
電池６の正極は正極シート２１及び正極スプリング３４を介して回路基板３２に接続され、電池６の負極は負極スプリング３５を介して回路基板３２に接続され、これにより回路基板３２を通電可能にする。金属棒１２はヘッド部スプリング３７を介して回路基板３２に接続されてさらに電池の負極に接続され、ハンドル４は板ばね３３を介して回路基板３２に接続されてさらに電池の正極に接続される。歯を磨く時に、使用者の手がハンドル４に接続し、金属棒１２が口腔内に挿入されることで、人体が回路中に接続される。つま
り、歯を磨く時に、電池６、金属棒１２、ハンドル４及び人体が閉回路を形成し、これにより電池６が金属棒１２を介してマイナスイオンを口腔内に放出する。
【符号の説明】
【００３５】
１  本体ユニット
１１  本体
１２  金属棒
１３  ブラシヘッド
１４  水導入孔
１５  水導出孔
１６  ボタン
１７  貫通穴
２  底蓋
２１  正極シート
２２  第１の接点部
２３  シールリング
３  回路接続ユニット
３１  ホルダ
３２  回路基板
３３  板ばね
３３１  第２の接点部
３４  正極スプリング
３５  負極スプリング
３６  振動ユニット
３７  ヘッド部スプリング
３８  導線
４  ハンドル
５  シール構造
５１  挿入部
５２  シール部
５３  溝
５４  凸部
６  電池
Ａ  長手方向
Ｕ  前側
Ｄ  後側
【図１】
0003224381.tif 000003
【図２】
0003224381.tif 000004
【図３】
0003224381.tif 000005
【図４】
0003224381.tif 000006
【図５】
0003224381.tif 000007
【図６】
0003224381.tif 000008
【図７】
0003224381.tif 000009
【図８】
0003224381.tif 000010
【図９】
0003224381.tif 000011